Podtech/llm-jp-corpus-v4-ja_patent huggingface dataset:
(57)【要約】      （修正有）【課題】土を入れたプランターや鉢などは、とても重くなり移動させるのは大変であった。また、蔓性植物の蔓が支柱で支えられたネットに絡んでいくと、重みが加わりネットが垂れてしまったり、支柱がよじれてしまっていた。このため、植栽と植栽容器移動機能を兼ね備えた、多用途プランター用台車を提供する。【解決手段】座椅子状の幅広Ｌ字型になるように、背面ネット部３と底面ネット部４を形成し、その左右両端にしっかりしたＬ字型外枠を設ける。底面ネット部の両外枠（底面外枠２）の後方にキャスター６を設け、同前方に前足部５を設ける。背面外枠１の上端を持ち手部７とし、該持ち手部の上面に連結穴８を設ける。連結用背面ネット１１には、上方に開口したコの字型の連結用背面外枠１０を設け、該連結用背面外枠の下部の左右両端に連結部９を設ける。【選択図】図１
0003166749.tif 000002
【実用新案登録請求の範囲】
【請求項１】
座椅子状の幅広Ｌ字型になるように、背面ネット部と底面ネット部を形成し、その左右両端にしっかりしたＬ字型外枠を設け、底面ネット部の両外枠（底面外枠）の後方にキャスターを設け、同前方に前足部を設け、背面外枠の上端を持ち手部とし、持ち手部の上面に連結穴を設け、連結用背面ネットには、上方に開口したコの字型の連結用背面外枠を設け、連結用背面外枠の下部の左右両端に連結部を設けたことを特徴とする多用途プランター用台車。
【考案の詳細な説明】
【技術分野】
【０００１】  本考案は、植栽と植栽容器移動機能を兼ね備えた、多用途プランター用台車に関するものである。
【背景技術】
【０００２】  従来、プランターを移動させるには手を使っていた。また、プランターに植えた蔓性植物は、支柱と支柱の間にネットを張り、蔓を絡ませていた。
なお、プランターとネット、キャスターが一体になっているものや、プランターに近接させ立設させて使用するものがある。（特許文献１、２参照）。
【先行技術文献】
【０００３】
【特許文献１】  実用新案公開平７−３９３６６号公報
【特許文献２】  実用新案公開平７−７３７７号公報
【考案の概要】
【考案が解決しようとする課題】
【０００４】  土を入れたプランターや鉢などは、とても重くなり移動させるのは大変であった。また、蔓性植物の蔓が支柱で支えられたネットに絡んでいくと、重みが加わりネットが垂れてしまったり、支柱がよじれてしまっていた。本考案は以上の問題点を解決するためになされたものである。
【課題を解決するための手段】
【０００５】  座椅子状の幅広Ｌ字型になるように、背面ネット部と底面ネット部を形成し、その左右両端にしっかりしたＬ字型外枠を設ける。底面ネット部の両外枠（底面外枠）の後方にキャスターを設け、同前方に前足部を設ける。背面外枠の上端を持ち手部とし、持ち手部の上面に連結穴を設ける。連結用背面ネットには、上方に開口したコの字型の連結用背面外枠を設け、連結用背面外枠の下部の左右両端に連結部を設ける。
以上の構成よりなる多用途プランター用台車。
【考案の効果】
【０００６】  従来、重くて移動が大変だったプランターなどを、本考案により容易に移動させることが可能になり、体力的負担が軽減される。店舗先や歩道との境など、或いは、公共の場所やオフィス内などでは、間仕切りとしての役割も果たす。夏の遮光目的の為の蔓性植物においては、蔓の重さなどによるネットの状態変化を防止し、蔓を美しく誘導出来る。
本考案は、植栽目的だけでなく、園芸用具などの運搬用としても利用出来る。
【図面の簡単な説明】
【０００７】
【図１】  本考案の斜視図
【考案を実施するための形態】
【０００８】  以下、本考案の実施の形態を説明する。
（イ）座椅子状の幅広Ｌ字型になるように、背面ネット部（３）と底面ネット部（４）を形成し、その左右両端にしっかりした背面外枠（１）と底面外枠（２）からなるＬ字型外枠を設ける。
（ロ）底面ネット部（４）の両底面外枠（２）の後方にキャスター（６）を設け、同前方に前足部（５）を設ける
（ハ）背面外枠（１）の上端を持ち手部（７）とし、持ち手部（７）の上面に連結穴（８）を設ける。
（ニ）連結用背面ネット（１１）には、上方に開口したコの字型の連結用背面外枠（１０）を設け、連結用背面外枠（１０）の下部の左右両端に連結部（９）を設ける。
本考案は以上のような構造である。
本考案の最大の利点は、プランターなどを台車に乗せたままで、植物や花を育成、観賞、移動することが出来る点であり、これを使用するときは、底面ネット部（４）上に土の入ったプランターなどを置く。蔓性植物のときは、蔓が背面ネット部（３）に絡みながら上、横方向へと伸びていく。底面ネット部（４）は、プランターからの排水が出来るので根腐れ防止になる。室内で使用する場合は、プランターの下に水受け皿などを置く。背面ネット部（３）は、スチール製又はプラスチック製等であり、歪みが生じないので、蔓が綺麗に絡まっていく。蔓が伸びてきたら、連結用背面ネット（１１）の下方にある連結部（９）を連結穴（８）に差込むことにより２段重ねとなり、より高く蔓を誘導することが可能である。プランターなどを乗せた台車を移動させるときは、持ち手部（７）を持ち、キャスター（６）を支点に後方に倒し前足部（５）を浮かせる。傾けた状態で台車を移動させる。キャスター（６）が後ろ側にだけあるので、不意に動かない。背面ネット部（３）は、ハンギング用の鉢を掛けたり、看板などの装飾用にも活用できる。この台車を数台横に並べれば、間仕切りとして使用でき、裏表で合わせて両面使用することも可能であり、屋外、屋内でも利用可能である。
【符号の説明】
【０００９】（１）背面外枠、（２）底面外枠、（３）背面ネット部、（４）底面ネット部
（５）前足部、（６）キャスター、（７）持ち手部、（８）連結穴、（９）連結部
（１０）連結用背面外枠、（１１）連結用背面ネット
【産業上の利用可能性】
【００１０】  園芸市場やホームセンター、或いは、一般家庭などで園芸用品として幅広く需要が見込まれる。また、店舗先や歩道との境など、公共の場やオフィス内での間仕切りなどにも利用できる。
【図１】
0003166749.tif 000003
【手続補正書】
【提出日】平成22年12月20日(2010.12.20)
【手続補正１】
【補正対象書類名】実用新案登録請求の範囲
【補正対象項目名】請求項１
【補正方法】変更
【補正の内容】
【請求項１】
座椅子状の幅広Ｌ字型になるように、背面ネット部と底面ネット部を形成し、その左右両端にしっかりしたＬ字型外枠を設け、底面ネット部の両外枠（底面外枠）の後方にキャスターを設け、同前方に前足部を設け、背面外枠の上端を持ち手部とし、持ち手部の上面に連結穴を設け、連結用背面ネットには、上方に開口したコの字型の連結用背面外枠を設け、連結用背面外枠の下部の左右両端に、連結穴に差し込むための連結部を設けたことを特徴とする多用途プランター用台車。
(57)【要約】      （修正有）【課題】薄層盛土の測定結果を迅速に解析し、施行不良箇所（転圧不足等）を直ちに是正出来る様にする薄層測定用ラジオアイソトープ水分密度計を提供する。【解決手段】ラジオアイソトープを利用した水分密度計の線源棒長さを１５ｃｍ以下とし、既知の土壌データを基に測定器の較正定数を求めることで２０ｃｍ未満の盛土にラジオアイソトープを利用した水分密度計が適用出来る。【選択図】図２
0003166747.tif 000002
【実用新案登録請求の範囲】
【請求項１】
盛土厚さ２０ｃｍ未満を測定対象とするラジオアイソトープを利用した薄層測定用ラジオアイソトープ水分密度計。
【考案の詳細な説明】
【技術分野】
【０００１】
本考案は、主として土木・建築分野で放射性同位元素（以下ラジオアイソトープ）を用いて行う盛土の水分と密度の計測に関するものである。
【背景技術】
【０００２】
盛土工事において、一層の盛土厚さは工種により規定されている。標準的には路体部で３０ｃｍ、路床部で２０ｃｍであり、路盤部では２０ｃｍ未満である。ラジオアイソトープを利用した水分密度計は即時性があり、盛土厚さが２０ｃｍ以上ある路体部や路床部の盛土の締固め度や空気間隙率測定に広く利用されている。
【０００３】
しかし、盛土厚さが２０ｃｍ未満の薄層盛土（主として路床、路盤部）に対しては、現在使用されているラジオアイソトープを用いた水分密度計では盛土厚さが２０ｃｍ〜３０ｃｍでなければ使用出来ないため、砂置換法、突砂法やコアカッター法等の非即時性試験を行っている。
【先行技術文献】
【非特許文献】
【０００４】
【非特許文献１】RI計器による土の密度，含水量測定方法（日本道路公団  昭和６０年）
【考案の概要】
【考案が解決しようとする課題】
【０００５】
解決しようとする課題は、薄層盛土の測定結果を迅速に解析し、施工不良箇所（転圧不足等）を直ちに是正出来る様にすることである。
【課題を解決するための手段】
【０００６】
本考案は、図１に示す様な各工種の薄層盛土に対し対応出来る様に、薄層測定用ラジオアイソトープ水分密度計（図２参照）を開発するものである。この測定方法だと１測定点あたり１分の測定時間で結果を得ることが可能となり、他の測定方法と比較して迅速に結果が得られるようになる。
【考案の効果】
【０００７】
短時間による測定は、転圧不足等に対する是正措置を迅速に行う事が可能となり、測定頻度も高める事も出来る事から、より高品質な盛土を施工出来るという利点がある。
【図面の簡単な説明】
【０００８】
【図１】図１は薄層測定用ラジオアイソトープ水分密度計で測定する主な工種を示した説明図である。
【図２】図２は薄層盛土に使用する薄層測定用ラジオアイソトープ水分密度計の各部を示した説明図である。
【図３】図３は薄層測定用ラジオアイソトープ水分密度計を構成する線源棒を示した説明図である。
【図４】図４は薄層測定用ラジオアイソトープ水分密度計の測定時の設置状態を示した説明図である。
【考案を実施するための形態】
【０００９】
先ず１台の薄層測定用ラジオアイソトープ水分密度計で土（数種類の材料，締固め荷重の条件変化）による基準較正（供試体実験）を実施し、そのデータを基に較正定数を算出する。この較正された薄層測定用ラジオアイソトープ水分密度計（基準水分密度計）を使用して土にかわる基準原器に関連付けを行い、それを基に複数台の薄層測定用ラジオアイソトープ水分密度計を製造する。
【実施例１】
【００１０】
図３は、薄層測定用ラジオアイソトープ水分密度計を構成する任意の長さの線源棒を示している。
【００１１】
各工種における線源棒（例えば５ｃｍから１５ｃｍ）の選択後、いずれの線源棒についても、較正試験により較正定数の決定を行う。
【００１２】
室内較正試験による方法については、地盤工学会基準「ＲＩ計器による土の密度試験方法」に準じて行う。高さ40.5cm，内径60cmの較正用容器を準備し、測定対象とする土を0.3m3程度用意して十分に乾燥させておく。この土を繰り返し使用し、含水比を調整するとともに、湿潤密度も順次変化させて供試体を作成する。１供試体は４〜５層に分けて作成する。供試体重量の測定は、１層あたりの土の重量を決定しておき、合計重量で求める。RI水分密度計による測定については、測定位置４方向、測定時間は、１方向４分以上とする。供試体の体積測定については、較正用容器上端から供試体上面までの高さを複数箇所測定し平均して求める。供試体の含水比測定は、供試体を崩し数箇所から採取し、１箇所あたり1kg以上の土を採取する。加水・湿潤密度の調整は、供試体に加水して含水比，湿潤密度を変化させて上記手順を繰り返す。較正定数の算出は、専用の計算ソフトにて算出する。
【００１３】
試験施工による確認については、得られた較正定数を薄層測定用ラジオアイソトープ水分密度計に入力後、必要な材料情報（土粒子の密度ρs．最大乾燥密度ρdmax，水分補正値Ig）を入力し、薄層測定用ラジオアイソトープ水分密度計と例えば砂置換法，突砂法，コアカッター法等で対象土の測定を実施する。その測定結果を比較検討し、他の調査方法との差異がないかを比較する。
【００１４】
日常管理（図４参照）の検討は、各仕様書等の管理方法に準じて薄層測定用ラジオアイソトープ水分密度計の管理指標を決定する。
【００１５】
測定頻度は、各仕様書等の管理方法に準じて薄層測定用ラジオアイソトープ水分密度計の測定頻度を決定する。
【産業上の利用可能性】
【００１６】
薄層盛土の施工全般にわたり適用出来る。例えば、現在供用されている道路の路盤、路床の修繕工事や新設道路の路盤工事に用いることが出来る。あるいは表層部、基層部の測定が出来る。それ以外においても、密度や空気間隙率、含水比を要求される土に類するもの全てに利用出来る。
【図１】
0003166747.tif 000003
【図２】
0003166747.tif 000004
【図３】
0003166747.tif 000005
【図４】
0003166747.tif 000006
【手続補正書】
【提出日】平成22年12月9日(2010.12.9)
【手続補正１】
【補正対象書類名】実用新案登録請求の範囲
【補正対象項目名】全文
【補正方法】変更
【補正の内容】
【実用新案登録請求の範囲】
【請求項１】
盛土厚さ２０ｃｍ未満を測定対象可能となるよう、線源棒の長さを１５ｃｍ以下の構造とした薄層測定用ラジオアイソトープ水分密度計。
【手続補正２】
【補正対象書類名】図面
【補正対象項目名】全図
【補正方法】変更
【補正の内容】
【図１】
0003166747.tif 000007
【図２】
0003166747.tif 000008
【図３】
0003166747.tif 000009
【図４】
0003166747.tif 000010
(57)【要約】      （修正有）【課題】書棚等に書籍が隙間なく並べられていても、書籍と書籍の隙間に指先を差し込むことなく、また書籍の上部を指先で掛けて引き出して書籍や書籍カバーを傷めてしまうことのない、つまみ付き帯紙を提供する。【解決手段】紙またはプラスチック、ビニールや皮等を原料とした帯紙本体１の中心に、折り曲げ部２を設け、その折り曲げ部２から両端に向かって３ｃｍ程度の位置まで貼り合わせ部３を設け、帯紙本体１の折り曲げ部２を山折りして、貼り合わせ部３を重ね合わせて貼り合わせ、貼り合わせた帯紙本体１の貼り合わせ部３を谷折に折り曲げてつまみ部４を設けたことを特徴とする。【選択図】図２
0003166742.tif 000002
【実用新案登録請求の範囲】
【請求項１】
紙またはプラスチック、ビニールや皮等を原料とした帯紙本体の中心に、折り曲げ部を設け、その折り曲げ部から両端に向かって３ｃｍ程度の位置まで貼り合わせ部を設け、帯紙本体の折り曲げ部を山折りして、貼り合わせ部を重ね合わせて貼り合わせ、貼り合わせた帯紙本体の貼り合わせ部を谷折に折り曲げてつまみ部を設けたことを特徴とするつまみ付き帯紙。
【請求項２】
前記帯紙本体のつまみ部に孔部を設けたことを特徴とするつまみ付き帯紙。
【請求項３】
前記帯紙本体の端に粘着部材を設け、書籍本体に固定できることを特徴とするつまみ付き帯紙
【考案の詳細な説明】
【技術分野】
【０００１】  この考案は、書店や図書館または会社や自宅等において、文庫本や単行本などの書籍または帳簿等を傷めることなく円滑に引き出すことができるつまみ付き帯紙に関するものである。
【技術背景】
【０００２】  従来、書棚等から書籍を取り出す時は、書籍と書籍の隙間に指先を差し込んで引き出すか、書籍の上部を指先で掛けて引き出していた。また、図書館等で書籍を並べる際には書籍を汚さないためのカバーフィルムも使用されている。（例えば、特許文献１参照）
【先行技術文献】
【０００３】
【特許文献１】特開２００３−５３９１９号公報  参照
【考案の開示】
【考案が解決しようとする課題】
【０００４】  これには次のような欠点があった。
書棚等に書籍が隙間なく並べられている場合、書籍と書籍の隙間に指先を差し込むことが困難であった。また、書籍の上部を指先で掛けて引き出すと、書籍や書籍カバーを傷めてしまい、特に書店においては書籍を陳腐化させてしまう恐れがあった。【０００５】  また、カバーフィルムにおいては、図書館等における不特定多数の利用者があり且つ長期使用における表紙の保護には有効ではあるが、書籍本体の保護にまでは至らず、利用者が書籍の上部を指先で掛けて引き出す場合には書籍上部を傷めてしまうことがあった。
本考案は、この欠点を解決するためになされたものである。
【課題を解決するための手段】
【０００４】  紙またはプラスチック、ビニールや皮等を原料とした帯紙本体（１）の中心に、折り曲げ部（２）を設け、その折り曲げ部（２）から両端に向かって３ｃｍ程度の位置まで貼り合わせ部（３）を設ける。
帯紙本体（１）の折り曲げ部（２）を山折りして、貼り合わせ部（３）を重ね合わせて貼り合わせ、貼り合わせた帯紙本体（１）の貼り合わせ部（３）を谷折に折り曲げてつまみ部（４）を設ける。
なお、つまみ部（４）には孔部（５）を設けることや、帯紙本体（１）のもう一方の先端には粘着部材（６）を設けることもできる。
本考案は、以上の構成よりなるつまみ付き帯紙である。
【考案の効果】
【０００５】  帯紙本体に設けたつまみ部を引き出すことにより、書籍と書籍の隙間に指先を差し込んで引き出したり、書籍の上部を指先で掛けて引き出す必要がなくなるため、書籍を傷めなくなった。
特に書店においては書籍を陳腐化させてしまうことがなくなった。また、帯紙が陳腐化した場合には、新しい帯紙と交換することができるため、書籍本体をきれいに保つことができる。
【考案を実施するための最良の形態】
【０００６】  以下、本考案の実施例について説明する。
紙またはプラスチック、ビニールや皮等を原料とした帯紙本体（１）の中心に、折り曲げ部（２）を設け、その折り曲げ部（２）から両端に向かって３ｃｍ程度の位置まで貼り合わせ部（３）を設ける。
帯紙本体（１）の折り曲げ部（２）を山折りして、貼り合わせ部（３）を重ね合わせて貼り合わせ、貼り合わせた帯紙本体（１）の貼り合わせ部（３）を谷折に折り曲げてつまみ部（４）を設ける。
本考案は以上のような構造で、これを使用するときは、帯紙本体（１）に設けたつまみ部（４）を中心に、通常の帯紙のように書籍の背表紙（７）の下部に重ね帯紙本体（１）を書籍の表紙（８）および裏表紙（８）に巻き付ける。余った帯紙本体（１）は、書籍の小口（９）で折り曲げ見返しに挟み込む。なお、帯紙本体（１）の端に粘着部材（５）が設けた場合には、書籍の見返し（１０）に貼り付けることもできる。
本棚から書籍を取り出す際には、帯紙本体（１）に設けたつまみ部（４）を指でつまんで引き出す。
【図面の簡単な説明】
【０００７】
【図１】本考案の構造をあらわした展開図である。
【図１】本考案の構造をあらわした斜視図である。
【図２】本考案の使用状態をあらわした図である。
【図３】本考案のつまみ部に孔を設けた場合の使用状態をあらわした図である。
【図４】本考案のつまみ部の形状を応用した場合の使用状態をあらわした図である。
【符号の説明】
【０００８】１．帯紙本体    ２．折り曲げ部      ３．貼り合わせ部        ４．つまみ部
５．孔部        ６．粘着部材        ７．背表紙              ８．表紙
９．裏表紙      １０．小口          １１．見返し
【図１】
0003166742.tif 000003
【図２】
0003166742.tif 000004
【図３】
0003166742.tif 000005
【図４】
0003166742.tif 000006
【図５】
0003166742.tif 000007
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
紙またはプラスチック、ビニールや皮等を原料とした帯紙本体の中心に、折り曲げ部を設け、その折り曲げ部から両端に向かって３ｃｍ程度の位置まで貼り合わせ部を設け、帯紙本体の折り曲げ部を山折りして、貼り合わせ部を重ね合わせて貼り合わせ、つまみ部を設けたことを特徴とする、つまみ付き帯紙。
【請求項２】
帯紙本体のつまみ部に孔部を設けたことを特徴とする、請求項１記載のつまみ付き帯紙。
【請求項３】
帯紙本体の端に粘着部材を設け、書籍本体に固定できることを特徴とする、請求項１記載のつまみ付き帯紙。
【手続補正２】
【補正対象書類名】明細書
【補正対象項目名】０００７
【補正方法】変更
【補正の内容】
【０００７】
【図１】本考案の構造をあらわした展開図である。
【図２】本考案の構造をあらわした斜視図である。
【図３】本考案の使用状態をあらわした図である。
【図４】本考案のつまみ部に孔を設けた場合の使用状態をあらわした図である。
【図５】本考案のつまみ部の形状を応用した場合の使用状態をあらわした図である。
(57)【要約】      （修正有）【課題】ストロボ光の拡散光効果不足とストロボ発光によって生じる陰影調節が出来ない問題をディフューザーにより改善し、ディフューザー本体の携帯時におけるコンパクト収納が可能なベローズディフューザーを提供する。【解決手段】四角錐型台形ディフューザーに蛇腹方式を適用することでストロボ光の拡散効果を高め、ディフューズ効果により陰影のコントラストを軽減する。ディフューザー本体の携帯に関しては蛇腹方式の構造である伸長、収縮機能の収縮を利用し折り畳み、コンパクトに携帯する事ができる。【選択図】図１
0003166748.tif 000002
【実用新案登録請求の範囲】
【請求項１】
デジタル又は銀塩一眼レフカメラの照明機器であるスピードライト、ストロボの照射光拡散と陰影緩和ならび携帯携行時におけるコンパクト化を設定した形状の四角錐型台形蛇腹方式及び円錐形台形ベローズ方式を特徴とするベローズディフューザー。
【考案の詳細な説明】
【考案の概要】
【考案が解決しようとする課題】
【０００１】解決しようとする問題点は、光源の拡散効果不足と携帯時における収納が考案されていない点である。
【課題が解決するための手段】
【０００２】本考案は、四角錐型台形に蛇腹方式を適用することで光源の拡散効果を高めるとともに収縮収納を可能にして携帯できることを最も主要な特徴とする。
【図面の簡単な説明】
【０００３】
【図１】  ベローズディフューザー本体１１をストロボ本体１０にベリクロ材１２による着脱方法を示した説明図である。
【図２】  ベローズディフューザー本体１３を蛇腹構造の伸縮を利用し縮小した状態の説明図である。
【図１】
0003166748.tif 000003
【図２】
0003166748.tif 000004
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
四角錐型台形蛇腹形状又は円錐型台形ベローズ形状を特徴とする、デジタル又は銀塩一眼レフカメラの照明機器であるストロボ用ベローズディフューザー。
(57)【要約】      （修正有）【課題】簡単にドアに取り付ける事ができる孤独死発生の確認装置で、孤独死が発生した事をドアの外の人間が容易に確認できる装置を提供する。【解決手段】出入りするドアに本体装置１とリードスイッチ２とマグネット３を両面テープで取り付ける。ドアが閉まってからの時間４と日数５を表示する。ドアが開くとマグネット３が離れ、リードスイッチ２が切り換わる。本体装置１がそれを検知し日時をリセットする。再びドアが閉まった時に、本体装置１を作動させる。本体装置１の時間４と日数５が表示し続ける事で、管理員や民生員などが巡回の際に、異常との判断が出来る。【選択図】図１
0003166756.tif 000002
【実用新案登録請求の範囲】
【請求項１】
ドアに取り付ける孤独死発生の確認装置でケース入りマグネット式リードスイッチを使う事により、非接触で、ドアの開き閉め状態を検知する。スイッチのオン又はオフで、本装置の時計又はタイマーをスタート及びストップさせ、ドアが閉まってからの連続しての時間及び日数を表示させる装置。
【考案の詳細な説明】
【技術分野】
【０００１】  本考案は、簡単にドアに取り付ける事ができる孤独死発生の確認装置で、孤独死が発生した事をドアの外の人間が容易に確認できる装置です。
【背景技術】
【０００２】  近年、家庭の核家族化が進み、妻又は夫を亡くし、子供もいないと言う一人暮らしの高齢者が増加している。  身寄りの無い、この様な、一人暮らしの高齢者が直面する問題として、ニュースになるのが孤独死の問題です。  また、一人暮らしの高齢者に、限らず、一人暮らしの障害者や病人など、年齢に関係なく、孤独死の問題が発生する事が考えられます。  一部の一人暮らしの高齢者は、死に対しては、怖くないが、自分が孤独死した時に異臭騒ぎなどで近所に迷惑を掛けたくない。との強い意見があります。この様な近所迷惑な異臭騒ぎを起こす前に孤独死を発見し、防止する装置の考案です。
【考案の概要】
【考案が解決しようとする課題】
【０００３】  異臭騒ぎなど近隣迷惑を起こさない様にする事と一人暮らしの高齢者が、自分の死後に異臭騒ぎで近所に迷惑を掛けたくないと思う心配事を解決する事です。
【課題を解決するための手段】
【０００４】  本装置は、出入り口のドアに、取り付けるものです。  ドアの開け閉めをケース入りマグネット式リードスイッチでオン又はオフさせ、そのオン又はオフ信号を本装置が検知して、時計又はカウンターをスタート及びストップさせる構造です。  ドアが閉まった時に、時計又はカウンターが初期状態からスタートします。  閉まってから経過した時間及び日数を表示します。ドアが開かない限り、時計又はカウンターは、止まらずに、時間及び日数をカウントし表示し続けます。  一旦、ドアが開けば、ケース入りマグネット式リードスイッチのオン又はオフ信号を検知し、時計又はタイマーがストップします。再びドアが閉った時、ケース入りマグネット式リードスイッチのオン又はオフ状態が変わった事を本装置が検知し、初期状態から、本装置の時計又はカウンターが、再スタートする。  本装置の表示日数により、連続してドアを一度も開かなかった日数が表示されます。このドアを一度も開かなかった日数が、多い場合は、室内で異常が発生したと判断出来、マンションの管理員又は民生員などが通報します。  不幸にも亡くなられていた場合は、遺体が腐敗する前に、室内から遺体を移動する事が出来ます。
【考案の効果】
【０００５】  ドアに取り付けるだけで、高齢者など、弱者の孤独死を早期発見する事が出来ます。、近隣に異臭での迷惑を掛けません。異臭騒ぎのあった部屋の価値は、下がりますが、それを防ぐ効果があります。マンションの管理員又は民生員などの巡回が行われる住居などのドアに本装置を設置し、ドアを開けると言う、生活する上では、無くてはならない行為を検出するので、使っている方への意識や負担がほとんどありません。【０００６】  本装置を発売する際は、価格の一部に死亡保険をかける事が出来ます。  これにより、お葬式代程度は賄える様にする事で経済的な問題を解決する効果がある。
【図面の簡単な説明】
【０００７】
【図１】ドアの外側に、本体装置１とリードスイッチ２とマグネット３を両面テープなどで固定し、設置します。ドアが閉まった状態で本装置１の時計又はカウンターが動きます。ドアが開くとマグネット３が離れて、リードスイッチ２がオンまたはオフとなり、本体装置１の時計又はカウンターがストップします。再びドアが閉まると、リードスイッチ２がオン又はオフとなり、本体装置１の時計又はカウンターが再起動します。再起動の際、過去の時間表示４及び日数表示５の情報はリセットする。本装置１の日数表示を確認する事で、ドアの閉まり続けた日数から異常を発見する事が出来ます。
【符号の説明】
【０００８】  １  本体装置
２  リードスイッチ
３  マグネット
４  時間表示
５  日数表示
【産業上の利用可能性】
【０００９】  本装置は、電池を使用するので、専門家による電気工事が不要で、停電や落雷による影響がほとんど無く、感電する心配もありません。  安全性と信頼性という点では産業上の利用の可能性は大変に高いです。【００１０】  構造及び仕組みが簡単なので、高齢者にも理解していただき易いです。既存の技術を利用する事により、開発費や設計費が軽減出来ます。  よって、低価格を実現出来ます。  また、開発・設計時間が多くかからないので商品化し易いです。【００１１】  低価格で仕組みが簡単な商品なので、贈り物としての利用が出来ます。【００１２】  ドアメーカーや建物メーカーと協力し、新築マンションの全てのドアに本装置を設置する事が出来ます。【００１３】  孤独死、無縁社会など、高齢化社会が抱える問題に関係する装置となる為、役所関係や保険会社などと、協力し、本装置を利用出来る可能性があります。
【図１】
0003166756.tif 000003
【手続補正書】
【提出日】平成22年12月24日(2010.12.24)
【手続補正１】
【補正対象書類名】実用新案登録請求の範囲
【補正対象項目名】全文
【補正方法】変更
【補正の内容】
【実用新案登録請求の範囲】
【請求項１】
ドアに取り付ける孤独死発生の確認装置であって、前記確認装置は、非接触でドアの開け閉め状態を検知するマグネット式リードスイッチと、前記リードスイッチのオン又はオフでスタート又はストップするタイマー又は時計と、ドアが閉まってからの連続しての時間及び日数を表示する表示部と、を有するドアに取り付ける孤独死発生の確認装置。
(57)【要約】【課題】特に伸縮性を備えることから、ボディーにフィットすると共に、乳房付近に横方向に開口が形成される構成であるので、体温を維持しながら、その開口から左右の乳房を露出させて両手で簡単に乳を搾ることができる授乳服を提供する。【解決手段】授乳服は、上部にネック開口部が形成されると共に、前面に横方向の乳房開口部が形成される下着であり、使用者が左右の乳房を該乳房開口部から露出させて搾乳することができるものである。【選択図】図１
0003172073.tif 000002
【実用新案登録請求の範囲】
【請求項１】
上部にネック開口部が形成されると共に、前面に横方向の乳房開口部が形成される下着であることを特徴とする授乳服。
【請求項２】
伸縮自在の生地を縫製してなることを特徴とする請求項１に記載の授乳服。
【請求項３】
長袖或いは半袖或いは袖なしであることを特徴とする請求項１又は２に記載の授乳服。
【請求項４】
前記ネック開口部が、丸形或いは襟付き或いはＶ形であることを特徴とする請求項１乃至３のいずれか一項に記載の授乳服。
【考案の詳細な説明】
【技術分野】
【０００１】
本考案は、特に伸縮性を有し、ボディーにぴったり合い、乳房付近に横方向の開口を備えるので、該開口を開けることにより、左右の乳房を露出させて、両手で母乳を搾ることができ、同時に体温も維持することができる授乳服に関するものである。
【背景技術】
【０００２】
母乳は新生児や幼児にとって栄養価が高いものであるので、一般に、できる限り母乳により育てた方がよいと言われているが、現在の家庭では、共働きが多く、母親は出産後に体力が回復すると、また職場へ復帰することが殆どであるので、毎回授乳させることは非常に難しくなっている。また、職場へ復帰したとしても、母乳により新生児を育てている母親には、会社の授乳室で搾乳し、母乳を哺乳瓶に入れて暫く冷蔵庫や冷凍庫において保存し、哺乳瓶を家に持ち帰って母乳を加熱してから、新生児に飲ませるので、非常に不便であった。
【０００３】
図５に示すように、既存の授乳服３０は下着であり、授乳服における、左右の乳房付近に、縦方向の細長開口３１が形成されるものであるが、このような授乳服は、赤ちゃんに直接授乳させるものであり、授乳の際には、上着を引き上げて乳房を細長開口３１から露出させてから赤ちゃんに授乳させる。
【考案の概要】
【考案が解決しようとする課題】
【０００４】
しかしながら、復職した母親は、随時赤ちゃんに授乳することができないので、外で搾乳する必要があり、搾乳時には、手で乳房を軽く圧迫して様々な方向から搾ると、母乳をうまく搾り出すことができるが、既存の授乳服では、乳房を縦方向の細長開口から露出させることから、その授乳服が搾乳の動作を邪魔してしまう。むしろ、授乳服を脱いで搾乳すれば、手が自由にいろんな方向から乳房を圧迫することができるので、手軽に母乳を搾ることができるが、当然ながらそのようなことはできない。
【課題を解決するための手段】
【０００５】
本考案に係る授乳服は、上部にネック開口部が形成されると共に、前面に横方向の乳房開口部が形成される下着である。
【０００６】
伸縮自在の生地を縫製してなることが好ましい。
【０００７】
長袖或いは半袖或いは袖なしであっても構わない。
【０００８】
前記ネック開口部が、丸形或いは襟付き或いはＶ形であっても構わない。
【考案の効果】
【０００９】
本考案に係る授乳服は上記の如く、使用者が授乳や搾乳などを行う時にも、授乳服を脱がないまま手軽に授乳や搾乳することができ、また、生地には伸縮性を有することから、ボディにぴったりと接触し、体温を維持して暖かいので、使用者が風邪をひくこともない。
【図面の簡単な説明】
【００１０】
【図１】本考案に係る授乳服の第一実施例の正面図である。
【図２】本考案に係る授乳服の第一実施例の使用状態を示す正面図である。
【図３】本考案に係る授乳服の第二実施例の正面図である。
【図４】本考案に係る授乳服の第三実施例の正面図である。
【図５】既存の授乳服の正面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１、図３及び図４に示すように、本考案に係る授乳服１０Ａ、１０Ｂ、１０Ｃは、伸縮自在の生地からなる下着であり、一体成形、または複数の生地を縫製して構成してもよく、長袖や、半袖、袖なしなどの様々なタイプを有し、タイプに制限はない。また、前記授乳服１０Ａ、１０Ｂ、１０Ｃは、中央上部にネック開口部１２Ａ、１２Ｂ、１２Ｃが形成されると共に、前面に横方向の乳房開口部１１が形成される。本実施例では、乳房開口部１１は、縦方向の幅よりも横方向の幅が広い、横長の形状を有する。
【００１３】
図２に示すように、使用者２０が授乳服１０Ａ、１０Ｂ、１０Ｃを着用する時は、前記ネック開口部１２Ａ、１２Ｂ、１２Ｃから使用者２０の頭部を入れてネック部２１に位置させる。尚、丸形や、襟つき形、Ｖネック形など、如何なる形状にしても構わないと共に、前記乳房開口部１１には、使用者２０の乳房２２に対応するように、横方向に延設される矩形や、楕円形などの如何なる形状としても構わなく、使用者２０の左右の乳房２２を同時に該乳房開口部１１から露出させればよい。
【００１４】
本考案は、伸縮性を有する生地から構成されることから、使用者２０が授乳服１０Ａ、１０Ｂ、１０Ｃを着用する時、使用者２０の体にぴったりとフィットするので、体温を維持しながら、左右の乳房２２を完全に露出させることができ、更には、授乳服１０Ａ、１０Ｂ、１０Ｃの上にブラジャーや上着などの衣類を重ね着し、授乳又は搾乳する時だけ上着やブラジャーを引き上げてもよい。
【００１５】
本考案に係る授乳服１０Ａ、１０Ｂ、１０Ｃは、生地の伸縮性により、使用者２０のボディーにフィットさせながら、乳房開口部１１から左右の乳房２２を完全に露出させることができるので、使用者が赤ちゃんに授乳する時にとても便利で、且つ乳房をいろんな方向から圧迫したりマッサージして搾乳をすることも手軽にできる。
【産業上の利用可能性】
【００１６】
本考案は上記の構成を有することから、使用者が授乳をする時、或いは搾乳をする時、授乳服を脱がなくてもよいことから、風邪をひきにくいので、健康の面も考慮されており、さらに、本考案に係る授乳服は、洗濯も非常に簡単である。
【符号の説明】
【００１７】
１０Ａ、１０Ｂ、１０Ｃ      授乳服
１１                        乳房開口部
１２Ａ、１２Ｂ、１２Ｃ      ネック開口部
２０                        使用者
２１                        ネック部
２２                        乳房
【図１】
0003172073.tif 000003
【図２】
0003172073.tif 000004
【図３】
0003172073.tif 000005
【図４】
0003172073.tif 000006
【図５】
0003172073.tif 000007
(57)【要約】      （修正有）【課題】低コストでありながら、慶事や弔事の様々な種類に対して適用でき、美観の点でも優れる金封を提供する。【解決手段】金封用袋体２の表紙３の適所に熨斗１２又は／及び水引結び１３を印刷した短冊１１を両面粘着テープ等を用いて貼着してなる。短冊１１には、熨斗１２又は／及び水引結び１３の他に御祝，寿，祝御結婚等の文字１４を併せて印刷してもよい。【選択図】図３
0003172071.tif 000002
【実用新案登録請求の範囲】
【請求項１】
熨斗を印刷した短冊を適所に設けてなる金封。
【請求項２】
水引結びを印刷した短冊を適所に設けてなる金封。
【請求項３】
熨斗及び水引結びを印刷した短冊を適所に設けてなる金封。
【考案の詳細な説明】
【技術分野】
【０００１】
本考案は、紙幣を収納して慶事に差し出す祝儀袋や弔事に差し出す不祝儀袋、又は、病気見舞に差し出す見舞袋、或いは、正月に年玉を入れて子供に差し出すポチ袋（年玉袋）等を含む金封に関する。
【背景技術】
【０００２】
この種の金封として、従来、図４に示す祝儀袋１０１が知られている（例えば、特許文献１を参照。）。この祝儀袋１０１は、開閉部１０５の表面に、慶事の種類に対応する水引き１０７，熨斗１０７ａ，弔事の種類に対応する水引き等が印刷されている。
【先行技術文献】
【特許文献】
【０００３】
【特許文献１】実用新案登録第３１４５５５５号
【考案の概要】
【考案が解決しようとする課題】
【０００４】
しかしながら、従来の祝儀袋１０１では、袋自体に慶事の種類に対応する水引き１０７，熨斗１０７ａ，弔事の種類に対応する水引き等が印刷されているため、使用者は、慶事や弔事の種類に応じて、対応する祝儀袋１０１を購入する必要があり、汎用性のある袋を利用することができないという点では不経済であった。
【０００５】
そこで、本考案が解決しようとする課題は、低コストでありながら、慶事や弔事の様々な種類に対して適用でき、美観の点でも優れる金封を提供することである。
【課題を解決するための手段】
【０００６】
この考案は、前記課題を解決するためになされたもので、請求項１に記載の金封は、熨斗を印刷した短冊を適所に設けたことを特徴としている。
【０００７】
請求項１に記載の金封によれば、熨斗が印刷されているのは短冊であるため、金封の袋自体は汎用性が高いものを使用し、当該袋に短冊を付けることによって、低コストでありながら、慶事や弔事の様々な種類に対して適用でき、美観の点でも優れる金封を提供することができる。
【０００８】
請求項２に記載の金封は、水引結びを印刷した短冊を適所に設けたことを特徴としている。
【０００９】
請求項２に記載の金封によれば、水引結びが印刷されているのは短冊であるため、金封の袋自体は汎用性が高いものを使用し、当該袋に短冊を付けることによって、低コストでありながら、慶事や弔事の様々な種類に対して適用でき、美観の点でも優れる金封を提供することができる。
【００１０】
請求項３に記載の金封は、熨斗及び水引結びを印刷した短冊を適所に設けたことを特徴としている。
【００１１】
請求項３に記載の金封によれば、熨斗及び水引結びが印刷されているのは短冊であるため、金封の袋自体は汎用性が高いものを使用し、当該袋に短冊を付けることによって、低コストでありながら、慶事や弔事の様々な種類に対して適用でき、美観の点でも優れる金封を提供することができる。
【考案の効果】
【００１２】
本考案によれば、低コストでありながら、慶事や弔事の様々な種類に対して適用でき、美観の点でも優れる金封を提供することができる。
【図面の簡単な説明】
【００１３】
【図１】本考案に係る金封の実施例１の構成の説明に供する図である。
【図２】本考案に係る金封の実施例２の構成の説明に供する図である。
【図３】本考案に係る金封の実施例３の構成の説明に供する図である。
【図４】従来の祝儀袋の説明に供する図である。
【考案を実施するための形態】
【００１４】
以下、本考案を適用した具体的な実施の形態について、図面を参照しながら詳細に説明する。本考案は、例えば、図１及び図２に示すような構成の金封１に適用される。
【００１５】
図１乃至図３において、金封用袋体２は、例えば、１枚の紙シートを折り畳んで３つの紙部が重なり合った袋体である。金封用袋体２は、例えば、３つの紙部が表紙３と中紙との間に裏紙が連設されたものである。中紙の上端に蓋片が連設され、裏紙の下端に底片が連設され、折り畳まれた中紙と裏紙とにおいて中紙の上面に底片を折り返して紙幣を収納できるようにし、中紙と底片の上面に表紙３をかぶせて構成されている。なお、金封用袋体２は、汎用性のあるものでよく、前述のものに限定されない。
【００１６】
図１は、短冊１１に熨斗１２を印刷した実施例１を示している。図２は、短冊１１に水引結び１３を印刷した実施例２を示している。図３は、短冊１１に熨斗１２及び水引結び１３を印刷した実施例３を示している。
【００１７】
金封１は、図１乃至図３に示すように、金封用袋体２の表紙３の適所に熨斗１２又は／及び水引結び１３を印刷した短冊１１を両面粘着テープ１５等を用いて貼着してなる。短冊１１には、熨斗１２又は／及び水引結び１３の他に御祝，寿，祝御結婚等の文字１４を併せて印刷してもよい。
【００１８】
以上のとおり、本考案による金封１によれば、熨斗１２又は／及び水引結び１３が印刷されているのは短冊１１であるため、金封１の金封用袋体２自体は汎用性が高いものを使用し、当該袋に短冊１１を付けることによって、低コストでありながら、慶事や弔事の様々な種類に対して適用でき、美観の点でも優れる金封１を提供することができる。
【００１９】
なお、本考案は前述した実施の形態のみに限定されるものではなく、本考案の要旨を逸脱しない範囲において種々の変更が可能であることは勿論である。
【符号の説明】
【００２０】
１        金封
２        金封用袋体
３        表紙
１１      短冊
１２      熨斗
１３      水引結び
１４      文字
１５      両面粘着テープ
１０１    祝儀袋
１０５    開閉部
１０７ａ  熨斗
【図４】
0003172071.tif 000003
【図１】
0003172071.tif 000004
【図２】
0003172071.tif 000005
【図３】
0003172071.tif 000006
(57)【要約】      （修正有）【課題】クラスタイオンを発生するセラミックを微細化して接着剤に混合し、鏡の裏面に塗布することで、消臭・防カビ等の効果を持つ様にした機能性鏡を提供する。【解決手段】微弱放射線発生物質として、酸化トリウムを１６％含むセラミック粉体を焼成と粉砕を３回繰り返し成分混合を分散化させた粉体を、ミクロン微細化粉砕機で平均０．０６ミクロンまで粉砕し、５０％重量部をエポキシ樹脂５０重量部に混合し、接着剤を作製する。この接着剤を、例えば３００ｍｍ四方の鏡の裏に１００ｍｍ四方の大きさに、全重量５ｇの接着剤を塗布して、８０℃で１時間乾燥して該鏡を形成する。鏡から出るクラスターイオンの働きで、空気中の水成分を＋Ｈイオンと−ＯＨイオンに分解しそれらのラジカルイオンの働きで、消臭、抗菌、抗カビ、ホルムアルデヒド中和分解する。【選択図】図１
0003172009.tif 000002
【実用新案登録請求の範囲】
【請求項１】
（イ）空気中の水成分をクラスター化する物質を、
（ロ）接着剤と混合し裏面に塗布し、
（ハ）消臭、抗菌、防カビ、ホルムアルデヒド中和分解機能を発揮する機能性鏡。
【請求項２】
微弱な放射線を発生するレアーアース鉱石を含むセラミック材を各種接着剤に混合した請求項１の機能性鏡。
【請求項３】
接着剤として、シリカ系接着剤やセラミック、セメントその他の無機系接着剤、有機系接着剤、天然ゴム系接着剤やデンプン系接着剤、膠などの天然系接着剤、アクリル樹脂系、α−オレフィン系、ウレタン系、エーテル系、エポキシ系、塩化ビニル系、シリコン系、スチレン系、ポリアミド系、ポリ酢酸ビニル系、メラミン系、ユリア系などの樹脂系を含む全ての接着剤に請求項２の物質を混合した請求項１の機能性鏡。
【考案の詳細な説明】
【発明の詳細な説明】
【産業上の利用分野】
【０００１】本発明は、鏡そのものに、空気中の水分をクラスター化する機能性材を接着剤に混合し、鏡の裏などに塗布すれば、含まれている機能剤が、消臭、抗菌、防カビ、ホルムアルデヒド中和分解し、鏡を置いている部屋内を浄化することが出来る。
用途は、幅広く、ホテルの部屋内、洗面所、家庭内の各部屋内、家庭内洗面所、各トイレ内、また化粧台、手鏡など多くの分野での用途が考えられる。機能発生期間は、殆ど半永久的で、従来の消臭剤の散布など全く不要となる。
【背景技術】
【０００２】従来は、部屋内の消臭は殆ど全て消臭剤を部屋内に噴霧することが中心であり、鏡に消臭機能など持たせることは無かった。
また、最近の輸入家具から発生するホルムアルデヒドを中和分解など出来なかった。
【発明が解決しようとする課題】
【０００３】従って本発明が解決しようとする課題は、空気中に含まれる水成分Ｈ２Ｏをクラスターイオンにより、＋Ｈイオンと−ＯＨイオンに分解し活性化させその働きにより消臭や抗菌、ホルムアルデヒドの中和分解など下記の化学式で実施される。
すなわち、
抗菌力          ：ＯＨラジカル＋ＯＨラジカル→抗菌力の高い  Ｈ２Ｏ２
アンモニア      ：ＮＨ３＋６０Ｈラジカル→無臭窒素Ｎ２＋６Ｈ２Ｏ
ホルムアルデヒド：ＨＣＨＯ＋ＯＨラジカル→ＣＯ２＋ＣＨ３ＯＨ
ホルムアルデヒド：ＨＣＨＯ＋Ｈラジカル→ＣＨ３ＯＨ
などの化学反応により、消臭し、抗菌し、ホルムアルデヒドを中和分解させることになる。
これらの作用を実行させるには、クラスターイオン発生セラミックを可能な限り微細化して接着剤中含まれる含有密度を上げなければならない。また鏡の反射塗膜の銀化合物がクラスターイオンを減衰させ、イオン発生量を減少させることも問題となる。
【課題を解決する為の手段】
【０００４】この課題の解決には、微弱放射生物質を含むセラミック剤を焼成と微細粉砕を繰り返し成分を均等分散化させた粉体を接着剤中にまんべんなく分散されなければならない。
その解決には、微弱放射線発生物質を含むセラミック剤を０．０４ミクロン以上０．８ミクロン以下に粉砕する必要がある。
また、鏡の銀塗膜がイオンを減衰させるはたらきがあり、その影響を抑えるには鏡裏面にまんべんなく接着剤を塗布するよりも、鏡の大きさに合わせて鏡裏面の小さな面積に十分多量に塗布する方がクラスターイオンが発生しやすく、裏面からも多量に発生させることが出来ることがわかった。
最も効率が良い塗布面積は、鏡の１／９〜１／１０の面積であることが、実験的に判明した。
【発明の作用】
【０００５】本発明は、基本的にハ（イ）〜（ニ）の手段から成り立っている。
（イ）微弱放射生物質を含むセラミック材を微細化して
（ロ）接着剤成分に混合して
（ハ）鏡の裏面に塗布することにより、消臭、抗菌．防カビ．ホルムアルデヒドを  中和分解する機能を持たせる。
本発明に於いて使用する微弱放射線発生物質としては、従来から微弱放射線を発生することで知られている物質を、何れも広い範囲で使用することが出来る。
その代表的なものを例示すると、レアアース鉱石系の多くの微弱放射線発生物質が対象になる。
レアアース鉱石系では、酸化トリウムなどの微量放射性レアーアース鉱物の粉体と常温で遠赤外線を放射するジルコン、ジルコニア、アルミナ、シリカなどを含むセラミックスを混合−粉砕−焼結を繰り返してできたセラミックなどが例示出来る。
接着剤としては、ケイ酸ソーダーやセメントなどの無機系接着剤や天然剤や樹脂系の多くが属する有機系接着剤も言える。
鏡は、通常の硝子系の鏡で角形、丸形、楕円形その他に、また最近では樹脂系の鏡も使用できる。
本発明に於いては、混合する接着剤の構成は、微弱放射生物質を含むセラミック剤５０重量部が含まれた粉体を３０〜５０重量部の接着剤に混合して使用する。
【実施例１】
【０００６】微弱放射線発生物質として、酸化トリウムを１６％含むセラミック粉体を焼成と粉砕を３回繰り返し成分混合を分散化させた粉体を、ミクロン微細化粉砕機で平均０．０６ミクロンまで粉砕し、５０％重量部をエポキシ樹脂５０重量部に混合し全重量５ｇの接着剤を作製し、３００ｍｍ四方の鏡の裏に１００ｍｍ四方の大きさに塗布して、８０℃で１時間乾燥した。
アンモニア：２時間で９８％消臭
トリメチルアミン：２時間で９９％消臭
ホルムアルデヒド：２時間で９２％消臭
カビ菌：４週間発生しない
などの結果を得た。
【図面の簡単な説明】
【０００７】
【図１】角形鏡の平面図
【図２】角形鏡の断面図
【図１】
0003172009.tif 000003
【図２】
0003172009.tif 000004
(57)【要約】      （修正有）【課題】殺菌効果を持ち、雑菌の繁殖を抑制する事により消臭効果がある靴用消臭具を提供する。【解決手段】１．６０ｃｍほどで切断した太さ１４ｍｍ２ほどの銅線を円状に曲げ、曲げた銅線の両端ににぎり部を取付けたものを、靴のサイズや形に合わせて自由に形状を変化させ、靴の先に密着することにより、銅イオンの殺菌作用により靴の消臭ができ、しかも半永久的に使用できる。【選択図】図１
0003172001.tif 000002
【実用新案登録請求の範囲】
【請求項１】
１．６０ｃｍほどで切断した太さ１４ｍｍ２ほどの銅線を靴の形状に合して曲げ、その両端ににぎり部を取付けた靴用消臭具。
【考案の詳細な説明】
【技術分野】
【０００１】  本考案は銅イオンが殺菌効果を持ち、雑菌の繁殖を抑制する事により消臭効果がある銅線を利用した新規なアイデアに関する。
【背景技術】
【０００２】  往来の靴の消臭アイテムは、スプレータイプや塗りタイプや靴底に敷くタイプの構造を有している。
【先行技術文献】
【特許文献】
【０００３】
【特許文献１】  登録実用新案第３１６０５２０号
【考案の概要】
【考案が解決しようとする課題】
【０００４】  スプレータイプや塗りタイプは消耗品である。
靴底に敷くタイプは靴のサイズによりサイズ違いの靴には兼用できない。
【課題を解決するための手段】
【０００５】  １．６０ｃｍほどで切断した太さ１４ｍｍ２ほど銅線を靴の形状に合して曲げる。曲げた銅線の両端ににぎり部を取付ける。
【考案の効果】
【０００６】  上述の様に、本考案の靴の消臭アイテムは銅線を利用することで靴のサイズや形状に合して容易に形作りすることができる。銅イオンが殺菌効果を持ち、雑菌の繁殖を抑制する事により消臭効果があり、しかも半永久的に使用が可能である。
【図面の簡単な説明】
【０００７】
【図１】  本考案の靴用消臭具の平面図
【考案を実施するための形態】
【０００８】  靴用消臭具本体の形を靴に合わせ自由に変え、靴の中に装着する。
【符号の説明】
【０００９】１  銅線
２  にぎり部
【図１】
0003172001.tif 000003
【手続補正書】
【提出日】平成23年7月14日(2011.7.14)
【手続補正１】
【補正対象書類名】実用新案登録請求の範囲
【補正対象項目名】全文
【補正方法】変更
【補正の内容】
【実用新案登録請求の範囲】
【請求項１】
・  ６０ｃｍほどで切断した１４ｍｍ２ほどのサイズの銅線を靴の形状に合して曲げ、その両端ににぎり部を取付けた（両端は合わせて一つに連結する場合と各々の端ににぎり部を一つずつ設ける場合があります）靴用消臭具。
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
６０ｃｍほどで切断した１４ｍｍ２ほどのサイズの銅線を靴の形状に合して曲げ、銅線の先端を１つにまとめた先に握り部を取付けた靴用消臭具。
(57)【要約】      （修正有）【課題】ステンレス製の串の先端を突起を持った形とし、網代部分処理が簡単にできるケーブルの網代処理治具を提供する。【解決手段】ステンレス製の突起部を設け、又ステンレスの途中をくの字に加工したことで網代部分を簡単にひっかけて処理することで、網代処理に役立つ。網出し部分は、円筒状になっており、線相互が交差しているため、ステンレス製の串の先端を突っ込んで引っかけて、串のくの字部分までおくり引っ張る。すると網出線は棒状になり、断線が無く、加工が容易になる。【選択図】図３
0003172004.tif 000002
【実用新案登録請求の範囲】
【請求項１】
ステンレス製の串の途中を折りまげ、くの字形にしたその先端に突起部を設けた多芯用網代ケーブルの網代処理治具。
【考案の詳細な説明】
【技術分野】
【０００１】  本考案は、突起部のあるステンレス製の串で、途中をくの字に折りまげた治具で多芯網代外装ケーブルの網代の処理に関するものである。
【背景技術】
【０００２】  多芯網代ケーブルの網代の処理は、千枚通しを主に用いていたがこの場合、線のほつれ又は断線が生じ後処理に不具合が生じ接地処理が難しかった。
【考案の開示】
【考案が解決しようとする課題】
【０００３】  多芯用網代ケーブルの網代部分はしっかり組んでいるため、簡単にほぐせない様になっており、手間のかかる構造になっている。本治具は本治具は網代部分に串の先端を突っ込んで、串のくの字部分で引き抜くことにより、前途の欠点を解決している。
【課題を解決するための手段】
【０００４】  本考案は、多芯網代ケーブルの外装網代部分を処理する治具で網代部分に串の先端を突っ込んで、串のくの字部分まで、線を持っていき引き抜くことにより、短時間に処理できる。
【考案の効果】
【０００５】  上述の様に、考案の多芯網代ケーブル用網代処理治具を用いることで、網代部を簡単に短時間に処理できる。
【考案を実施するための最良の形態】
【０００６】  網出し部分は、円筒状になっており、線相互が交差しているため、ステンレス製の串の先端を突っ込んで引っかけて、串のくの字部分までおくり引っ張る、すると網出線は棒状になり、断線が無く、加工が容易になる。
【実施例】
【０００７】  以下、添付図に従って実施例を説明する、１及び２は網出し線をひっかける治具の本体である。１又は２を網出し線の下側にさし込み串のくの字部分まで持っていき、その部分を利用して引っ張ることで、網出部分がほぐされる。【０００８】  本考案は、上述の如き構成からなるものであり、図３に示すように多芯用網代ケーブルの網代処理に用いられる。
【図面の簡単な説明】
【０００９】
【図１】側面図
【図２】正面図
【図３】実施例図
【符号の説明】１  突起部
２  くの字に曲げた部分
３  ステンレス棒
【図１】
0003172004.tif 000003
【図２】
0003172004.tif 000004
【図３】
0003172004.tif 000005
【手続補正書】
【提出日】平成23年9月2日(2011.9.2)
【手続補正１】
【補正対象書類名】実用新案登録請求の範囲
【補正対象項目名】全文
【補正方法】変更
【補正の内容】
【実用新案登録請求の範囲】
【請求項１】
ステンレス製の串の真中を折り曲げ、串の両端をくの字に曲げ先端に突起部を設けた多芯用網代ケーブルの網代処理治具。